(57)【特許請求の範囲】
【請求項１】
上ケースと下ケースとを嵌合することにより、内部に形成された密閉空間に回路手段が収納される通信機器の放熱構造であって、
前記下ケースの上部に保持される下放熱パネルの両側にそれぞれ断面Ｌ字状の下接触板が固着されており、該下接触板における前記下ケースの内面に対向する面が２段に折曲されて、当該対向する面の下部が前記下ケースの内面に圧接されることにより、前記下放熱パネルの熱が、前記下接触板を介して前記下ケースに伝達されるようにしたことを特徴とする通信機器の放熱構造。
【請求項２】
前記下接触板において、前記対向する面に複数条のスリットが形成されていることを特徴とする請求項１記載の通信機器の放熱構造。
【請求項３】
前記下放熱パネルの一側を枢軸として、前記下放熱パネルが前記下ケースに対して回動可能とされていると共に、前記下接触板の下部のコーナ部が内側に折曲されており、前記下放熱パネルを回動させて前記下ケース内に収納する際に、前記下接触板が前記下ケースの上縁に当接しないようにしたことを特徴とする請求項１記載の通信機器の放熱構造。
【請求項４】
前記上ケースの下部に保持される上放熱パネルの両側にそれぞれ断面Ｌ字状の上接触板が固着されており、該上接触板における前記上ケースの内面に対向する面が前記上ケースの内面に圧接されることにより、前記上放熱パネルの熱が、前記上接触板を介して前記上ケースに伝達されるようにしたことを特徴とする請求項１記載の通信機器の放熱構造。
【請求項５】
前記下接触板および前記上接触板において、前記対向する面に複数条のスリットが形成されていることを特徴とする請求項４記載の通信機器の放熱構造。
【発明の詳細な説明】
【０００１】
【発明の属する技術分野】
本発明は、ＣＡＴＶ信号が入力される無線アクセスポイント等の通信機器の放熱構造に関するものである。
【０００２】
【従来の技術】
近年、ブロードバンド通信サービスが普及されており、ブロードバンド通信サービスの一つにＣＡＴＶ双方向通信サービスがある。このＣＡＴＶ双方向通信サービスを加入者が受けるには、加入者宅へＣＡＴＶケーブルを引き込む必要がある。しかし、マンションのように既設の集合住宅においては、新たにＣＡＴＶケーブルを引き込む工事を行うことは理事会の承認が必要なことから困難であった。そこで、新たにＣＡＴＶケーブルを引き込む工事を行うことなく、ＣＡＴＶ双方向通信サービスを提供する手法が提案されている。
【０００３】
この手法の概要構成を図９に示す。ＣＡＴＶケーブルは電柱を介して敷設されており、ＣＡＴＶケーブルの一端が無線アクセスポイント１０１に引き込まれている。この無線アクセスポイント１０１の構成を図１０に示す。ＣＡＴＶ信号が無線アクセスポイント１０１に入力されると、図１０に示すように、ＣＡＴＶ信号はＲＦ入力として入力ユニット１０３に供給される。入力ユニット１０３においてレベル調整等が行われ、入力ユニット１０３からのＣＡＴＶ信号はケーブルモデム１０４に供給される。ケーブルモデム１０４においてＣＡＴＶ信号から所定の帯域の信号が抽出され、ベースバンドのパケットデータに変換される。パケットデータはワイヤレスルータ１０５に供給される。この場合、ケーブルモデム１０４およびワイヤレスルータ１０５は、ＬＡＮの標準規格であるイーサネット（IEEE802.3）のＬＡＮインタフェースを備えている。
【０００４】
ワイヤレスルータ１０５は、ＬＡＮ同士やＬＡＮとＷＡＮ(Wide Area Network)を相互に接続するための装置であり、ＯＳＩ基本参照モデルのネットワーク層においてパケット中継処理をしている。また、TCP/IPネットワークでは、IPアドレスを見て中継経路の制御を行っている。そして、ワイヤレスルータ１０５からはＳＳ−ＤＳ（スペクトル直接拡散）変調されたＲＦ信号が出力される。このＲＦ信号はアンテナ１０２から集合住宅１００に向けて放射される。このアンテナ１０２から放射された電波を集合住宅１００における加入者が受信することにより、加入者はＣＡＴＶ線路で送られてきたパケットデータを受信することができる。加入者がパケットデータを送る場合は、上記のルートと逆のルートにより、ＣＡＴＶ線路に送出されるようになる。また、無線アクセスポイント１０１には電源入力から電源が供給されており、この電源は電源ユニット１０６に供給されて、電源ユニット１０６からケーブルモデム１０４およびワイヤレスルータ１０５に電源が供給されるようになされている。
【０００５】
【発明が解決しようとする課題】
ところで、このような無線アクセスポイント１０１に内蔵されているケーブルモデム１０４やワイヤレスルータ１０５にはそれぞれの処理を行うためのＣＰＵ（Central Processing Uni）が備えられている。ＣＰＵはその機能にもよるが、一般に発熱することからＣＰＵには放熱手段を設ける必要がある。このため、図１０に示すような構成の無線アクセスポイント１０１を小さな密閉空間に収納することができず、小型化することができないという問題点があった。
【０００６】
そこで、本発明は無線アクセスポイント等の通信機器を小型化することのできる放熱構造を提供することを目的としている。
【０００７】
【課題を解決するための手段】
上記目的を達成するために、本発明の通信機器の放熱構造は、上ケースと下ケースとを嵌合することにより、内部に形成された密閉空間に回路手段が収納される通信機器の放熱構造であって、前記下ケースの上部に保持される下放熱パネルの両側にそれぞれ断面Ｌ字状の下接触板が固着されており、該下接触板における前記下ケースの内面に対向する面が２段に折曲されて、当該対向する面の下部が前記下ケースの内面に圧接されることにより、前記下放熱パネルの熱が、前記下接触板を介して前記下ケースに伝達されるようになされている。
【０００８】
また、上記本発明の通信機器の放熱構造において、前記下接触板において、前記対向する面に複数条のスリットが形成されていてもよい。
さらに、上記本発明の通信機器の放熱構造において、前記下放熱パネルの一側を枢軸として、前記下放熱パネルが前記下ケースに対して回動可能とされていると共に、前記下接触板の下部のコーナ部が内側に折曲されており、前記下放熱パネルを回動させて前記下ケース内に収納する際に、前記下接触板が前記下ケースの上縁に当接しないようにしてもよい。
【０００９】
さらにまた、上記本発明の通信機器の放熱構造において、前記上ケースの下部に保持される上放熱パネルの両側にそれぞれ断面Ｌ字状の上接触板が固着されており、該上接触板における前記上ケースの内面に対向する面が前記上ケースの内面に圧接されることにより、前記上放熱パネルの熱が、前記上接触板を介して前記上ケースに伝達されるようにしてもよい。
さらにまた、上記本発明の通信機器の放熱構造において、前記下接触板および前記上接触板において、前記対向する面に複数条のスリットが形成されていてもよい。
【００１０】
このような本発明によれば、下放熱パネルの熱を、下ケースの内面に圧接されている下接触板を介して下ケースに伝達させるようにしたので、放熱効果を向上することができる。このため、発熱する回路手段が下ケースに収納されていても、通信機器を小型化することができるようになる。また、下接触板に複数条のスリットを設けることにより、下接触板が複数片に分離されるようになって、それぞれの接触片毎に独立して下ケースの内面に接触するようになる。従って、何らかの原因で一片が下ケースの内面から浮いたとしても他の接触片により熱を下ケースに伝導することができるようになる。さらに、下接触板の下部のコーナ部が内側に折曲されていることから、下放熱パネルを回動させて下ケース内に収納する際に、下接触板が下ケースの上縁に当接せずに、容易に収納することができるようになる。
【００１１】
さらにまた、上放熱パネルの熱を、上ケースの内面に接触されている上接触板を介して上ケースに伝達させるようにすると、より放熱効果を向上することができる。このため、発熱する回路手段が上ケースに収納されていても、通信機器を小型化することができるようになる。さらにまた、上接触板に複数条のスリットを設けることにより、上述したように確実に熱を上ケースに伝導することができるようになる。さらにまた、下接触板が下ケースの内面に接触し、上接触板が上ケースの内面に接触することから、収納されている回路手段のアース電位を上ケースおよび下ケースのアース電位と同電位とすることができ、回路手段を安定して動作させられるようになる。
【００１２】
【発明の実施の形態】
本発明の通信機器の放熱構造を適用した実施の形態である無線アクセスポイントの全体構成を断面図で図１および図２に示す。ただし、図１は無線アクセスポイントの平面断面図であり、図２はその側面断面図である。
これらの図に示す無線アクセスポイント１は、アルミダイキャストケースとされている下ケース１ｂと、下ケース１ｂに嵌合されるアルミダイキャストケースとされている上ケース１ａとからなる筐体を備えている。この場合、下ケース１ｂの周縁の上面にはリング状に溝部２ａが形成されており、この溝部２ａ内にＯリングが収納されて上ケース１ａが嵌合されることにより、密閉空間とされる筐体内は防水構造とされている。下ケース１ｂの内部には入力ユニット３と、ケーブルモデムおよび電源ユニット２２がが収納されている。ケーブルモデムは下基板２４上に組み込まれている。また、下ケース１ｂの内部には、無線アクセスポイント１の動作状態をＬＥＤの点灯状態で示す表示素子基板２３が設けられている。表示素子基板２３におけるＬＥＤの点灯状態は、下ケース１ｂの側面に形成されている窓２ｂを通して観察することができるようにされている。なお、この窓２ｂは透明部材で閉塞されて、ケース内は水密に保持されている。
【００１３】
ケーブルモデムはモデム処理を実行するＣＰＵを備えており、このモデム処理を実行する際に発熱するＣＰＵを冷却するための下放熱パネル２６が下ケース１ｂの上部に配置されている。また、上ケース１ａ内に収納されているワイヤレスルータもルータ処理等を実行するＣＰＵを備えており、このルータ処理を実行する際に発熱するＣＰＵを冷却するための上放熱パネル１４が上ケース１ａの下部に配置されている。また、電源ユニット２２は下ケース１ｂの下部に設けられている下パネル２１に固着されており、電源ユニット２２が発熱した場合は、下パネル２１および下パネル２１に接触している下ケース１ｂにより放熱されるようになされている。さらに、上ケース１ａの上部には上パネル１１が設けられており、この上パネル１１にほぼ平行にワイヤレスルータが組み込まれている上基板１２が設けられている。
【００１４】
ここで、本発明の実施の形態である無線アクセスポイント１の特徴ある構成は、下放熱パネル２６で放熱される熱を下ケース１ｂに逃がすための下接触板２５を、下放熱パネル２６の両側にそれぞれ固着するようにした構成である。この一対の下接触板２５は、下放熱パネル２６の両側に固着されている状態において、図２に示すように下ケース１ｂの内側面に強く圧接されており、これにより下放熱パネル２６で放熱される熱が下ケース１ｂに伝導されて放熱されるようになる。この構成により、下ケース１ｂにより放熱を効率的に行えるようになることから、密閉空間に発熱する回路手段を備える無線アクセスポイント１を小型化することができるようになる。さらに、本発明の実施の形態である無線アクセスポイント１は、上放熱パネル１４で放熱される熱を上ケース１ａに逃がすための上接触板１３を、上放熱パネル１４の両側にそれぞれ固着するようにした構成も特徴としている。この一対の上接触板１３は、上放熱パネル１４の両側に固着されている状態において、図２に示すように上ケース１ａの内側面に圧接されており、これにより上放熱パネル１４で放熱される熱が上ケース１ａに伝導されて放熱されるようになる。この構成により、上ケース１ａにより放熱を効率的に行えるようになることから、無線アクセスポイント１を小型化することができるようになる。
【００１５】
なお、下放熱パネル２６の両側に下ケース１ｂの内面に接触する下接触板２５をそれぞれ固着するようにしたことから、下基板２４に組み込まれるケーブルモデムのアース電位を確実に下ケース１ｂのアース電位と同電位とすることができる。同様に、上放熱パネル１４の両側に上ケース１ａの内面に接触する上接触板１３をそれぞれ固着するようにしたことから、上基板１２に組み込まれるワイヤレスルータのアース電位を確実に上ケース１ａのアース電位と同電位とすることができる。これにより、無線アクセスポイント１の各回路が安定して動作するようになる。
【００１６】
下接触板２５の詳細構成を図３（ａ）（ｂ）（ｃ）に示す。ただし、図３（ａ）は下接触板２５の正面図であり、図３（ｂ）はその平面図であり、図３（ｃ）はその側面図である。
これらの図に示すように、下接触板２５は１ｍｍ程度の厚さのアルミ板を断面Ｌ字状に加工して細長い形状とされている。下接触板２５の複数の取付穴２５ｅが形成されている取付部２５ａからは、折曲部２５ｂが起立している。取付穴２５ｅは、下放熱パネル２６に取り付けるためのネジ挿通穴であり、例えば４個とされている。この場合、取付部２５ａと折曲部２５ｂとのなす角度は鈍角とされており、折曲部２５ｂの先端からは接触部２５ｃが延伸するように形成されている。
【００１７】
そして、接触部２５ｃと取付部２５ａとのなす角度がほぼ直角とされている。すなわち、取付部２５ａからは２段に折曲された折曲部２５ｂと接触部２５ｃが延伸している。この構成により、接触部２５ｃにより形成される接触面が後述するように下ケース１ｂの内面に強く圧接するようになる。また、接触部２５ｃには複数条、例えば３条のスリット２５ｄが折曲部２５ｂの中途まで形成されて、接触部２５ｃにより形成される接触面は４つの接触片に分割されている。これらの分割された接触片は、それぞれ独立して弾性を有するようになることから、下ケース１ｂの内面に予期せぬ突起等が生じていても、その突起に対応する分割された接触片を除いて下ケース１ｂの内面に確実に接触部２５ｃが接触するようになる。従って、下接触板２５を介して下放熱パネル２６の熱を確実に下ケース１ｂに放熱することができるようになる。なお、下接触板２５を介して熱をしたケース１ｂに伝達するため、下接触板２５の厚さは、ある程度厚く（約１ｍｍ以上）されている。
【００１８】
ところで、図１に示すように下基板２４および下放熱パネル２６からなるブロックは、一端縁が支持部２７に設けられている枢軸２７ａにより回転可能に支持されている。すなわち、下基板２４および下放熱パネル２６からなるブロックは、図６に示すように下ケース１ｂに対して枢軸２７ａを中心として開くことができるようにされている。これにより、下基板２４および下放熱パネル２６からなるブロックの下に設けられている電源ユニット２２や表示素子基板２３のメンテナンスを容易に行えると共に、下基板２４に組み込まれているケーブルモデムのメンテナンスも行えるようになる。そして、図６に示す状態から下基板２４および下放熱パネル２６からなるブロックを回動させて閉じ、下放熱パネル２６の先端に挿通されているネジ２９を、図１および図２に示すように下パネル２１に固着されている取付片に螺着することにより、図７に示すように下ケース１ｂ内に下基板２４および下放熱パネル２６からなるブロックを収納することができる。
【００１９】
回動して収納する際に、下放熱パネル２６の両側に固着されている一対の下接触板２５が下ケース１ｂの内面に強く圧接されながら摺接していくようになる。この場合、下接触板２５が図３に示すように接触部２５ｃが取付部２５ａから若干外に張り出して形成されているため、下接触板２５のコーナが下ケース１ｂの上縁に当接してスムースに下ケース１ｂ内に下基板２４および下放熱パネル２６からなるブロックを収納することができない場合が生じるおそれがある。そこで、図３に示すようにした下接触板２５のコーナ部に内側に折曲されたコーナ折曲部２５ｆを形成する。すると、下基板２４および下放熱パネル２６からなるブロックを回動して収納する際に、このコーナ折曲部２５ｆにより、下接触板２５のコーナが下ケース１ｂの上縁に当接することなくスムースに下ケース１ｂ内に収納することができるようになる。
【００２０】
また、下接触板２５は取付部２５ａに対して鈍角に形成されている折曲部２５ｂの上に接触部２５ｃが形成されているために、取付部２５ａを下放熱パネル２６に取り付けた際に接触部２５ｃが外側に張り出すようになる。そこで、図６に示すように下基板２４および下放熱パネル２６からなるブロックが下ケース１ｂに収納されていない状態において、取付部２５ａを下放熱パネル２６に取り付ける際には、下接触板２５を下放熱パネル２６に取り付ける図４に示す複数の取付ネジ２８を緩めておく。そして、図７に示すように下基板２４および下放熱パネル２６からなるブロックが下ケース１ｂに収納された際に、取付ネジ２８を締着して図５に示す状態とする。このように取付ネジ２８を締着することにより、下接触板２５の接触部２５ｃを下ケース１ｂの内面に強く圧接することができるようになる。
【００２１】
このように、取付ネジ２８を緩めた状態において下基板２４および下放熱パネル２６からなるブロックを回動させるさせる場合には、下接触板２５のコーナが下ケース１ｂの上縁に当接しないこともあるので、下接触板２５の形状を図８に示すように、コーナ折曲部２５ｆの形成されていない下接触板２５としてもよい。
なお、上接触板１３も下接触板２５とほぼ同様の構成とされるが、上接触板１３が固着される上放熱パネル１４は上ケース１ａに対して回動することができないため、コーナ折曲部を設ける必要はない。さらに、上放熱パネル１４が上ケース１ａに固着された後において、上接触板１３を上放熱パネル１４に固着することから、取付部にほぼ直角とされる接触部を折曲部を設けることなく設けるようにしてもよい。
以上説明した上接触板１３，上放熱パネル１４，下接触板２５，下放熱パネル２６は、熱伝導度の優れているアルミ板や銅板を加工して作成するのが好適である。
【００２２】
【発明の効果】
上記したように本発明の通信機器の放熱構造は、下放熱パネルの熱を、下ケースの内面に圧接されている下接触板を介して下ケースに伝達させるようにしたので、放熱効果を向上することができる。このため、発熱する回路手段が下ケースに収納されていても、通信機器を小型化することができるようになる。また、下接触板に複数条のスリットを設けることにより、下接触板が複数片に分離されるようになって、それぞれの接触片毎に独立して下ケースの内面に接触するようになる。従って、何らかの原因でその一片が下ケースの内面から浮いたとしても他の接触片により熱を下ケースに伝導することができるようになる。さらに、下接触板の下部のコーナ部が内側に折曲されていることから、下放熱パネルを回動させて下ケース内に収納する際に、下接触板が下ケースの上縁に当接せずに、容易に収納することができるようになる。
【００２３】
さらにまた、上放熱パネルの熱を、上ケースの内面に接触されている上接触板を介して上ケースに伝達させるようにすると、より放熱効果を向上することができる。このため、発熱する回路手段が上ケースに収納されていても、通信機器を小型化することができるようになる。さらにまた、上接触板に複数条のスリットを設けることにより、上述したように確実に熱を上ケースに伝導することができるようになる。さらにまた、下接触板が下ケースの内面に接触し、上接触板が上ケースの内面に接触することから、収納されている回路手段のアース電位を上ケースおよび下ケースのアース電位と同電位とすることができ、回路手段を安定して動作させられるようになる。
【図面の簡単な説明】
【図１】本発明の通信機器の放熱構造を適用した実施の形態である無線アクセスポイントの全体構成を示す平面断面図である。
【図２】本発明の通信機器の放熱構造を適用した実施の形態である無線アクセスポイントの全体構成を示す側面断面図である。
【図３】本発明の実施の形態にかかる通信機器の放熱構造における下接触板の詳細構成を示す図である。
【図４】本発明の実施の形態にかかる通信機器の放熱構造における下接触板の取り付け方法を示す図である。
【図５】本発明の実施の形態にかかる通信機器の放熱構造における下接触板を取り付けた状態を示す図である。
【図６】本発明の実施の形態にかかる通信機器の放熱構造において、下基板および下放熱パネルからなるブロックを開いた状態を示す図である。
【図７】本発明の実施の形態にかかる通信機器の放熱構造において、下基板および下放熱パネルからなるブロックを収納した状態を示す図である。
【図８】本発明の実施の形態にかかる通信機器の放熱構造における下接触板の他の詳細構成を示す図である。
【図９】提案されている双方向通信サービスの概略構成を示す図である。
【図１０】双方向通信サービスで使用する無線アクセスポイントの構成を示す図である。
【符号の説明】
１  無線アクセスポイント、１ａ  上ケース、１ｂ  下ケース、２ａ  溝部、２ｂ  窓、３  入力ユニット、１１  上パネル、１２  上基板、１３  上接触板、１４  上放熱パネル、２１  下パネル、２２  電源ユニット、２３  表示素子基板、２４  下基板、２５  下接触板、２５ａ  取付部、２５ｂ  折曲部、２５ｃ接触部、２５ｄ  スリット、２５ｅ  取付穴、２５ｆ  コーナ折曲部、２６  下放熱パネル、２７  支持部、２７ａ  枢軸、２８  取付ネジ、２９  ネジ、１００  集合住宅、１０１  無線アクセスポイント、１０２  アンテナ、１０３  入力ユニット、１０４  ケーブルモデム、１０５  ワイヤレスルータ、１０６  電源ユニット
【図１】
0003686363.tif 000002
【図２】
0003686363.tif 000003
【図３】
0003686363.tif 000004
【図４】
0003686363.tif 000005
【図５】
0003686363.tif 000006
【図６】
0003686363.tif 000007
【図７】
0003686363.tif 000008
【図８】
0003686363.tif 000009
【図９】
0003686363.tif 000010
【図１０】
0003686363.tif 000011